(57)【特許請求の範囲】
【請求項１】
着用者の前後方向に相当する縦方向とこれに直交する横方向とを有し、液保持性の吸収性コアを具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記吸収性コアは、上層吸収性コアと該上層吸収性コアの非肌対向面側に配される下層吸収性コアとからなる二層構造を含んで構成され、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における胴回り部を構成する前記外装体の両側縁部それぞれから前記レッグ開口部の開口縁部に沿って縦方向内方且つ横方向内方に延びて前記吸収性本体の縦方向に沿う側縁に達し、平面視において前記上層吸収性コア及び前記下層吸収性コアの両方と重なっており、
前身頃における胴回り部を構成する前記外装体の両側縁部のうちの一方を起点とする前記前側レッグ弾性部材と、他方を起点とする前記前側レッグ弾性部材とは、横方向において互いに離間配置されて前側不連続部を形成しており、該前側不連続部は前記外装体の横方向中央部に位置しており、
前記後側レッグ弾性部材は、後身頃における胴回り部を構成する前記外装体の両側縁部それぞれから前記レッグ開口部の開口縁部に沿って縦方向内方且つ横方向内方に延びて前記吸収性本体の縦方向に沿う側縁に達し、平面視において前記上層吸収性コア及び前記下層吸収性コアの両方と重なっており、
後身頃における胴回り部を構成する前記外装体の両側縁部のうちの一方を起点とする前記後側レッグ弾性部材と、他方を起点とする後記前側レッグ弾性部材とは、横方向において互いに離間配置されて後側不連続部を形成しており、該後側不連続部は前記外装体の横方向中央部に位置しており、
前記前側レッグ弾性部材と前記後側レッグ弾性部材とが縦方向において互いに離間配置されて、離間領域が形成されており、
前記吸収性コアにおける前記離間領域に対応する部分に、該吸収性コアの肌対向面又は
非肌対向面の少なくとも一方に開口端部を有する開口部が縦方向に連続的に延びるように形成されおり、
前記下層吸収性コアは、該下層吸収性コアを厚み方向に貫通する貫通口を有し、前記上層吸収性コアは、該貫通口における該上層吸収性コア側の開口端部の少なくとも一部を塞ぐように、該下層吸収性コアの肌対向面と接触しており、該貫通口とその開口端部を閉塞する該上層吸収性コアとによって前記開口部が形成されており、
前記縦方向からみて、前記開口部の少なくとも一部が、前記前側不連続部及び前記後側不連続部と重なっており、
前記開口部の前記縦方向の端部は、前記前側不連続部及び前記後側不連続部よりも縦方向外方に延出しておらず、
前記外装体における前身頃及び後身頃それぞれの前記胴回り部を含む領域は、横方向に伸縮性を有しており、平面視においてその伸縮性領域と前記上層吸収性コアとは重なっていないパンツ型吸収性物品。
【請求項２】
前記開口部の前記縦方向の端部は、前記前側不連続部及び前記後側不連続部に位置している請求項１に記載のパンツ型吸収性物品。
【請求項３】
前記外装体は、着用者の身体から相対的に遠い側に位置する外層シートと、着用者の身体に相対的に近い側に位置する内層シートとを含んで構成され、両シート間に前記前側レッグ弾性部材及び前記後側レッグ弾性部材が介在されており、
前記吸収性本体は、前記内層シートにおける前記吸収性コアに対応する領域を少なくとも一部含む部分にて該内層シートと接合されている請求項１又は２に記載のパンツ型吸収性物品。
【請求項４】
前記上層吸収性コアは前記下層吸収性コアよりも坪量が大きい請求項１〜３の何れか一項に記載のパンツ型吸収性物品。
【請求項５】
前記前側レッグ弾性部材及び前記後側レッグ弾性部材それぞれにおける、前記胴回り部を構成する前記外装体の両側縁部から前記吸収性本体の縦方向に沿う側縁に至るまでの部分の少なくとも一部が、前記外装体の中心部に向かって斜めに延びている請求項１〜４の何れか一項に記載のパンツ型吸収性物品。
【請求項６】
前記開口部は前記吸収性コアに１本のみ形成されている請求項１〜５の何れか一項に記載のパンツ型吸収性物品。
【発明の詳細な説明】
【技術分野】
【０００１】
本発明は、パンツ型使い捨ておむつ等のパンツ型吸収性物品に関する。
【背景技術】
【０００２】
従来、パンツ型使い捨ておむつとしては、液保持性の吸収性コアを具備する吸収性本体と、該吸収性本体の非肌対向面側に配されてこれを横方向中央部で固定している外装体とを備え、着用者の前後方向に相当する縦方向とこれに直交する横方向とを有し、且つ縦方向において着用時に着用者の腹側に位置する前身頃と背側に位置する後身頃とに二分され、該前身頃及び該後身頃それぞれにおける該外装体の縦方向に沿う両側縁部どうしが接合されて一対のサイドシール部、ウエスト開口部及び一対のレッグ開口部が形成されているものが汎用されている。例えば特許文献１〜３には、斯かる構成のパンツ型使い捨ておむつにおいて、一対のレッグ開口部それぞれの開口縁部に沿ってレッグギャザー形成用のレッグ弾性部材が配されているものが記載されている。特許文献１〜３記載のおむつにおいては、前身頃に配される前側レッグ弾性部材と後身頃に配される後側レッグ弾性部材とが縦方向において互いに離間配置されていると共に、前側及び後側レッグ弾性部材それぞれにおいて、横方向の一方側のレッグ弾性部材と他方側のレッグ弾性部材とが横方向において互いに離間配置されて不連続部を形成している。
【０００３】
また、この種の吸収性物品においては、着用時に着用者の排泄部に対向配置される排泄部対向部及びその近傍における吸収性コアの面積をできる限り広く確保することによって、排泄液の漏れを効果的に防止できる場合があるが、斯かる観点から吸収性コアの横方向長さ（幅）を広めに確保すると、比較的剛性の高い吸収性コア（吸収性本体）が着用者の大腿部に当接する機会が増加するため、着用感が低下し着用者に着用違和感を与えるおそれがある。そこで、排泄部対向部及びその近傍における吸収性コア形成材料の量を他の部位よりも減らす、あるいは排泄部対向部及びその近傍に吸収性コア形成材料を配さずに空間部とする、等の方法によって吸収性コアに縦方向に延びるスリット状の開口部を形成し、それによって吸収性コアの剛性を低減させて着用感を向上させる工夫が従来行われている。また、このような吸収性コアにおけるスリット状の開口部は、排泄液を一時的に貯蔵し縦方向を拡散させる作用を有するので、吸収性物品の吸収性能の向上、液漏れ防止にも寄与し得る。
【０００４】
図８には、吸収性コアにスリット状の開口部が設けられた、従来のパンツ型使い捨ておむつ９０が示されている。図８の右側の符号（Ｉ）が付された図は、おむつ９０の着用者の開脚状態に対応し、図８の左側の符号（ＩＩ）が付された図は、おむつ９０の着用者の閉脚状態に対応する。図８の右側の符号（Ｉ）が付された図は、使用前のおむつ９０の展開且つ伸長状態における肌対向面側の展開平面図でもある。おむつ９０は、吸収性コア９１を具備する吸収性本体９２と、該吸収性本体９２の非肌対向面側に配されてこれを横方向Ｙの中央部で固定している外装体９３とを備えている。外装体９３は前側レッグ弾性部材９４と後側レッグ弾性部材９５とを備え、両レッグ弾性部材９４，９５は、外装体９３を構成する複数枚のシート間に伸長状態で介在配置されている。両レッグ弾性部材９４，９５それぞれにおいて、横方向Ｙの一方側のレッグ弾性部材９４，９５と他方側のレッグ弾性部材９４，９５とは横方向Ｙにおいて互いに離間配置されて不連続部９６を形成しているが、両レッグ弾性部材９４，９５は縦方向Ｘにおいては離間配置されていない。吸収性コア９１における排泄部対向部及びその近傍（おむつ９０の股下部における横方向Ｙの中央部）には、該吸収性コア９１を厚み方向に貫通するスリット状の開口部９７が縦方向Ｘに連続的に延びるように形成されている。
【０００５】
また特許文献１には、吸収性コアにおけるおむつの股下領域に位置する部分の横方向中央に、縦方向に延びる溝部からなる中央曲部を設けることで、吸収性コアが内方向に凸に曲がることができるようにし、股下領域を中心に吸収性コアを変形させて着用者の身体に吸収性コアをフィットさせる技術が記載されている。この吸収性コアの中央曲部は、二層構造の吸収性コアにおける下層（着用者の身体から相対的に遠い側の吸収性コア）を厚み方向に貫通するスリット状の貫通口と、該貫通口の一端部側の開口端部を閉塞する上層とによって画成されており、前側レッグ弾性部材と後側レッグ弾性部材との離間領域に配されている。但し、特許文献１記載のおむつにおいては、前側レッグ弾性部材及び後側レッグ弾性部材は、平面視において吸収性コアと重なっていない。
【先行技術文献】
【特許文献】
【０００６】
【特許文献１】特開２０１３−１３５２４号公報
【特許文献２】特表２０１２−６５８１８号公報
【特許文献３】特開２００６−１４９７４７号公報
【発明の概要】
【発明が解決しようとする課題】
【０００７】
特許文献１記載のおむつは、吸収性コアに形成された前記中央曲部の作用によって、着用時の違和感はある程度低減されているが、該中央開口部の横方向長さが比較的長く幅広であるため、吸収性コアの吸収容量が実用上十分でなく吸収性能の低下を招くおそれがある。また、幅広の前記中央曲部の影響によって、おむつの着用中において吸収性コアに予測し得ない変形が生じるおそれがあり、着用感が低下するおそれがある。
【０００８】
また、図８に示す従来のパンツ型使い捨ておむつ９０においては、着用当初（おむつ９０を着用してから着用者が最初に閉脚するまでの間）は、図８（Ｉ）に示すように、開口部９７の開口状態が維持されているので、開口部９７による作用効果（着用感及び吸収性能の向上）が期待できるが、着用者が閉脚すると、図８（ＩＩ）に示すように、吸収性コア９１が着用者の両大腿部によって横方向Ｙに圧縮されることによって、吸収性コア９１に対して横方向Ｙの両外方から圧力ＰＦがかかるため、開口部９７が閉塞してしまい、所望の効果が十分に奏されない。着用者の閉脚動作によって開口部９７が閉塞しても、速やかに開口すれば問題ないが、おむつ９０においては閉塞した開口部９７を開口させる力が働かないため、開口部９７が一度閉塞してしまうとその閉塞状態が長時間維持され、いずれ開口部９７が消滅してしまう。特に、吸収性コア９１が排泄液を吸収して膨潤した後は、開口部９７の閉塞・消滅が起こりやすく、開口部９７に期待される機能を十分に発現できないおそれがある。また、吸収性コア９１が排泄液を吸収して膨潤した後は、吸収性コア９１の厚みが大きくなると共に圧縮弾性率が高くなり、着用感の低下に繋がる要因が増加することから、このようなタイミングで開口部９７の機能が低下・消失することは、着用感の急激な低下を招き望ましくない。
【０００９】
従って本発明は、着用感及び吸収性能に優れるパンツ型吸収性物品に関する。
【課題を解決するための手段】
【００１０】
本発明は、着用者の前後方向に相当する縦方向とこれに直交する横方向とを有し、液保持性の吸収性コアを具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における胴回り部を構成する前記外装体の両側縁部それぞれから前記レッグ開口部の開口縁部に沿って縦方向内方且つ横方向内方に延びて前記吸収性本体の縦方向に沿う側縁に達し、平面視において前記吸収性コアと重なっており、
前身頃における胴回り部を構成する前記外装体の両側縁部のうちの一方を起点とする前記前側レッグ弾性部材と、他方を起点とする前記前側レッグ弾性部材とは、横方向において互いに離間配置されて前側不連続部を形成しており、該前側不連続部は前記外装体の横方向中央部に位置しており、
前記後側レッグ弾性部材は、後身頃における胴回り部を構成する前記外装体の両側縁部それぞれから前記レッグ開口部の開口縁部に沿って縦方向内方且つ横方向内方に延びて前記吸収性本体の縦方向に沿う側縁に達し、平面視において前記吸収性コアと重なっており、
後身頃における胴回り部を構成する前記外装体の両側縁部のうちの一方を起点とする前記後側レッグ弾性部材と、他方を起点とする後記前側レッグ弾性部材とは、横方向において互いに離間配置されて後側不連続部を形成しており、該後側不連続部は前記外装体の横方向中央部に位置しており、
前記前側レッグ弾性部材と前記後側レッグ弾性部材とが縦方向において互いに離間配置されて、離間領域が形成されており、
前記吸収性コアにおける前記離間領域に対応する部分に、該吸収性コアの肌対向面又は非肌対向面の少なくとも一方に開口端部を有する開口部が縦方向に連続的に延びるように形成されおり、前記縦方向からみて、前記開口部の少なくとも一部が、前記前側不連続部及び前記後側不連続部と重なっているパンツ型吸収性物品を提供するものである。
【発明の効果】
【００１１】
本発明によれば、着用感及び吸収性能に優れるパンツ型吸収性物品が提供される。
【図面の簡単な説明】
【００１２】
【図１】図１は、本発明のパンツ型吸収性物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３は、図１に示すおむつの展開且つ伸長状態における非肌対向面側（外面側）を模式的に示す展開平面図である。
【図４】図４は、図２の縦中心線Ｌｘでの断面を模式的に示す横断面図である。
【図５】図５は、図１に示すおむつを分解して模式的に示す分解斜視図である。
【図６】図６は、図１に示すおむつの外装体を構成する伸縮性の外層シートの一部（腹側外層シート）の一例を模式的に示す一部破断斜視図である。
【図７】図７は、図１に示すおむつの吸収性コア（開口部）の状態を説明する図であり、図７（ａ）は、該おむつの展開且つ伸長状態における非肌対向面側（外面側）を簡略化して模式的に示す展開平面図、図７（ｂ）は、該吸収性コアの模式的な横断面図である。図７の（Ｉ）は、おむつの着用者の開脚状態に対応し、図７の（ＩＩ）は、おむつの着用者の閉脚状態に対応する。
【図８】図８は、従来のパンツ型使い捨ておむつの吸収性コア（開口部）の状態を説明する図であり、該おむつの展開且つ伸長状態における肌対向面側（内面側）の模式的な展開平面図である。図８の（Ｉ）は、おむつの着用当初（おむつを着用してから着用者が最初に閉脚するまでの間）の状態に対応し、図８の（ＩＩ）は、おむつの着用者の閉脚状態に対応する。
【発明を実施するための形態】
【００１３】
以下本発明を、その好ましい実施形態に基づき図面を参照しながら説明する。図１〜図５には、本発明のパンツ型吸収性物品の一実施形態であるパンツ型使い捨ておむつ１が記載されている。おむつ１は、着用者の前後方向に相当する縦方向Ｘとこれに直交する横方向Ｙとを有し、吸収性本体２と、該吸収性本体２の非肌対向面側に配されて該吸収性本体２を固定している外装体３とを備え、前身頃Ｆ及び後身頃Ｒそれぞれにおける該外装体３の縦方向Ｘに沿う両側縁部ＦＳ，ＲＳどうしが接合されて、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１４】
図２及び図３に示すように、前身頃Ｆは、おむつ１を縦方向Ｘに二分する縦中心線Ｌｘを基準として、着用時に着用者の身体の前側（腹側）を覆う部分であり、後身頃Ｒは、着用者の身体の後側（背側）を覆う部分である。また本明細書において、肌対向面は、おむつ１及びその構成部材（例えば吸収性本体２）における、着用状態において着用者の肌側に向けられる面（着用者の肌に近い側）であり、非肌対向面は、おむつ１及びその構成部材における、着用状態において着用者の肌側とは反対側に向けられる面（相対的に肌対向面よりも肌から遠い側）である。
【００１５】
おむつ１は、着用状態において着用者の腹側に配される腹側部１Ａ、背側に配される背側部１Ｃ、及びそれらの間に位置して着用者股間部に配される股下部１Ｂを有している。おむつ１の縦方向Ｘは、前身頃Ｆと後身頃Ｒとの間を延びる方向、即ち、腹側部１Ａと背側部１Ｃとの間を股下部１Ｂを介して延びる方向であり、吸収性本体２の長手方向に一致する。腹側部１Ａは前身頃Ｆの一部であり、背側部１Ｃは後身頃Ｒの一部であり、股下部１Ｂは前身頃Ｆと後身頃Ｒとに跨って存している。腹側部１Ａ及び背側部１Ｃは、何れも縦方向Ｘにおいてサイドシール部Ｓと同位置にある部分であり、おむつ１の着用時に着用者の胴回りに配される胴回り部である。股下部１Ｂは、外装体３の縦方向Ｘに沿う両側縁部にレッグ開口部ＬＨ，ＬＨ形成用の凹欠部（レッグ縁部ＬＳ，ＬＳ）が形成されている領域である。股下部１Ｂは、おむつ１の着用時に着用者の排泄部に対向配置される排泄部対向部を有しており、該排泄部対向部は通常、おむつ１の縦方向Ｘの中央部（縦中心線Ｌｘ上）又はその近傍に位置している。
【００１６】
吸収性本体２は、図２及び図３に輪郭線で示したように平面視矩形形状を有しており、その長手方向を展開且つ伸長状態におけるおむつ１の縦方向Ｘに一致させて、外装体３の横方向Ｙの中央部に配置され、接着剤により外装体３に接合されている。外装体３は、図２及び図３に示す如きおむつ１の展開且つ伸長状態のおむつ１の外形を形作っており、外装体３の周縁は、その状態のおむつ１の輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１７】
吸収性本体２は、図４に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収性コア２３（２３０，２３１）を有しており、これらが接着剤等の公知の接合手段により一体化されて構成されている。吸収性コア２３は、おむつ１（外装体３）の横方向Ｙの中央部に位置している。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。
【００１８】
吸収性コア２３は、上層吸収性コア２３０と該上層吸収性コア２３０の非肌対向面側に配される下層吸収性コア２３１とからなる二層構造を含んで構成されている。上層吸収性コア２３０は、平面視において、縦方向Ｘの前側（腹側部１Ａ寄りの部分）が他の部分よりも幅広の縦長形状をなし、下層吸収性コア２３１よりも縦方向Ｘの長さが短く、且つ下層吸収性コア２３１において横方向Ｙの長さ（幅）が最も短い最幅狭部の該長さよりも横方向Ｙの長さが短い。下層吸収性コア２３１は、縦方向Ｘの中央部が前後端部（縦方向両端部）それぞれよりも横方向Ｙの長さ（幅）が短く、縦方向Ｘの中央部が括れた平面視砂時計状（ダンベル状）をなしており、上層吸収性コア２３０よりも平面視における寸法（面積）が大きい。平面視において上層吸収性コア２３０の全体が下層吸収性コア２３１と重なっており、下層吸収性コア２３１は吸収性コア２３の輪郭を形成している。上層吸収性コア２３０は、下層吸収性コア２３１の肌対向面の中央に配されている。上層吸収性コア２３０と下層吸収性コア２３１とは、接着剤によって互いに接合されておらず、両者は一体不可分ではなく分離可能になされている。上層吸収性コア２３０及び下層吸収性コア２３１の形成材料としては、この種の吸収性物品の吸収性コアに従来用いられている各種のものを特に制限なく用いることができ、例えば、吸水性ポリマー粒子及びパルプ繊維等の繊維材料の１種以上を用いることができる。上層吸収性コア２３０及び下層吸収性コア２３１の表面は、紙、不織布等のコアラップシート（図示せず）によって一体的に被覆（二層構造全体が１枚のコアラップシートでまとめて被覆）されていても良く、それぞれ個別に被覆されていても良い。
【００１９】
吸収性本体２の肌対向面における縦方向Ｙに沿う左右両側部には、図２、図４及び図５に示すように、液抵抗性又は撥水性で且つ通気性のシート材２５から構成された側方カフス２４，２４が設けられている。各側方カフス２４の自由端部の近傍には糸状の側方カフス弾性部材２６が１本又は複数本伸長状態で配されている。各側方カフス２４は、伸長状態で配された側方カフス弾性部材２６がおむつ１の着用状態において収縮することによって少なくとも股下部１Ｂで起立し、液の側方への流出を阻止する。
【００２０】
外装体３は、図２及び図３に示すように、その縦方向Ｘに沿う両側縁が股下部１Ｂにおいて内向きの円弧状に湾曲して一対のレッグ縁部ＬＳ，ＬＳを形成しており、図２及び図３に示す如き平面視において、縦方向Ｘの中央域が横方向Ｙの内方に向けて括れた砂時計状の形状を有している。股下部１Ｂには、外装体３において横方向Ｙの長さが最も短い部位が存している。外装体３は、前身頃Ｆ（腹側部１Ａ）における縦方向Ｘに沿う両側縁部ＦＳ，ＦＳと後身頃Ｒ（背側部１Ｃ）における縦方向Ｘに沿う両側縁部ＲＳ，ＲＳとが、接着剤、ヒートシール、超音波シール等の公知の接合手段によって互いに接合されており、その接合によって、図１に示すように、おむつ１に一対のサイドシール部Ｓ，Ｓが形成され、さらにウエスト開口部ＷＨ及び一対のレッグ開口部ＬＨ，ＬＨが形成されている。
【００２１】
外装体３は、図４及び図５に示すように、外層シート３１と内層シート３２との積層体を含んで構成されている。おむつ１の着用状態において、外層シート３１は着用者の身体から遠い側に位置して、おむつ１の非肌対向面（外面）を形成し、内層シート３２は、着用者の身体に近い側に位置して、おむつ１の肌対向面（内面）を形成する。外層シート３１と内層シート３２との間は、所定の部位において接着剤によって接合されている。
【００２２】
本実施形態においては、図５に示すように、内層シート３２は１枚の連続したシートから構成されているのに対し、外層シート３１は複数枚のシートが組み合わされて構成されており、腹側部１Ａを構成する腹側外層シート３１Ａと、背側部１Ｃを構成する背側外層シート３１Ｃと、両シート３１Ａ，３１Ｃ間に位置して股下部１Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００２３】
図２及び図５に示すように、腹側外層シート３１Ａは、内層シート３２の腹側部１Ａ側の縦方向Ｘの端部から外方に延出する腹側延出部３１ＡＥを有し、また、背側外層シート３１Ｃは、内層シート３２の背側部１Ｃ側の縦方向Ｘの端部から外方に延出する背側延出部３１ＣＥを有しており、両延出部３１ＡＥ，３１ＣＥは、それぞれ、内層シート３２上に配置固定された吸収性本体２の縦方向Ｘの両端部を覆うように、内層シート３２側に折り返され、接着剤によって、両延出部３１ＡＥ，３１ＣＥと対向するおむつ１の他の構成部材（内層シート３２、吸収性本体２、側方カフス２４）に固定されている。
【００２４】
本実施形態においては、外層シート３１を構成する腹側外層シート３１Ａ及び背側外層シート３１Ｃは横方向Ｙに伸縮性を有しているのに対し、外層シート３１の残りの部分（股下外層シート３１Ｂ）及び内層シート３２は伸縮性を有しておらず非伸縮性である。従って、外装体３において、シート３１Ａ，３１Ｃを含む領域は横方向Ｙに伸縮性を有し、シート３１Ａ，３１Ｃを含まない領域は横方向Ｙに伸縮性を有していない。本実施形態においては、前身頃Ｆの胴回り部である腹側部１Ａは腹側外層シート３１Ａを含み、後身頃Ｒの胴回り部である背側部１Ｃは背側外層シート３１Ｃを含むから、腹側部１Ａ及び背側部１Ｃ共に、横方向Ｙに伸縮性を有している。また本実施形態においては、腹側外層シート３１Ａが、腹側部１Ａと股下部１Ｂとの境界、即ち、前身頃Ｆにおける一対のサイドシール部Ｓ，Ｓそれぞれの下端（縦方向Ｘの内方側の端部）を通って横方向Ｙに延びる仮想直線を越えて股下部１Ｂに延出し、背側外層シート３Ｃが、背側部１Ｃと股下部１Ｂとの境界、即ち、後身頃Ｒにおける一対のサイドシール部Ｓ，Ｓそれぞれの下端（縦方向Ｘの内方側の端部）を通って横方向Ｙに延びる仮想直線を越えて股下部１Ｂに延出しているので、股下部１Ｂにおける両シート３１Ａ，３１Ｃのこれら延出部を含む部分、即ち、股下部１Ｂにおける腹側部１Ａ及び背側部１Ｃ寄りの部分も、それぞれ横方向Ｙに伸縮性を有している。一方、股下部１Ｂにおける腹側部１Ａ及び背側部１Ｃ寄り以外の部分（股下部１Ｂの縦方向Ｘの中央部）は横方向Ｙに伸縮性を有していない。
【００２５】
腹側外層シート３１Ａ及び背側外層シート３１Ｃは、少なくとも横方向Ｙに伸縮性を有している。図６には、伸縮性の腹側外層シート３１Ａの一例が示されている。図６に示す腹側外層シート３１Ａは、非弾性繊維を主体とする伸長可能な繊維層の一面に糸状の弾性フィラメントが接合した構成を有するもので、該繊維層としての２枚の繊維シート４１，４２と、両シート４１，４２間に介在配置された該弾性フィラメントとしての弾性部材４３とを含んで構成されている。斯かる構成を有する伸縮性の背側外層シート３１Ａは、例えば、特開２００９−６１７４３号公報に記載の方法に従って製造することができる。伸縮性の背側外層シート３１Ｃも図６に示す伸縮性の腹側外層シート３１Ａと同様に構成することができる。
【００２６】
腹側外層シート３１Ａを構成する２枚のシート４１，４２は、何れも伸長可能なものである。シート４１，４２は、弾性部材４３の延びる方向（横方向Ｙ）と同方向に伸長可能になっている。伸長可能とは、（イ）シート４１，４２の構成繊維自体が伸長する場合と、（ロ）構成繊維自体は伸長しなくても、交点において結合していた繊維どうしが離れたり、繊維どうしの結合等により複数本の繊維で形成された立体構造が構造的に変化したり、構成繊維がちぎれたりして、シート４１，４２全体として伸長する場合とを包含する。
【００２７】
腹側外層シート３１Ａを構成する弾性部材４３は、弾性樹脂が溶融又は軟化した状態で延伸されて形成された弾性フィラメントである。複数の弾性部材４３は、それぞれ、シート３１Ａの全長（外装体３の横方向Ｙの全長）に亘って実質的に連続している。複数の弾性部材４３は、互いに交差せずに一方向（横方向Ｘ）に延びるように配列している。弾性部材４３は、実質的に非伸長状態で２枚のシート４１，４２に接合されている。シート３１Ａにおける弾性部材４３のシート４１，４２との接合は、シート４１，４２を構成する繊維（非弾性繊維）が弾性部材４３中に埋没した状態で該弾性部材４３に融着することによりなされたものであり、ホットメルト型接着剤等の接着剤を用いてなされたものではない。従って、シート４１，４２（非弾性繊維を主体とする伸長可能な繊維層）とこれに接合されている弾性部材４３との間には接着剤が存在しない。
【００２８】
腹側外層シート３１Ａは、弾性部材４３の延びる方向（横方向Ｙ）と同方向に伸縮可能になっている。シート３１Ａの伸縮性は、弾性部材４３の弾性に起因して発現する。シート３１Ａを弾性部材４３の延びる方向と同方向に引き伸ばすと、弾性部材４３及びシート４１，４２が伸長する。そしてシート３１Ａの引き伸ばしを解除すると、弾性部材４３が収縮し、その収縮に連れてシート４１，４２が引き伸ばし前の状態に復帰する。また、シート３１Ａにおいては、弾性部材４３と直交した状態で結合している他の弾性部材は存在していないので、シート３１Ａを、弾性部材４３の延びる方向（横方向Ｙ）と同方向に引き伸ばしたときには、該シート３１Ａが横方向Ｙに縮む、いわゆる幅縮みをほとんど起こさずに伸長する。
【００２９】
腹側外層シート３１Ａを構成する２枚のシート４１，４２は、それぞれ、短繊維の不織布であり得る。不織布としては、エアスルー不織布、ヒートロール不織布、スパンレース不織布、スパンボンド不織布、メルトブローン不織布等が挙げられる。シート４１とシート４２とは、同種のものでも良く、あるいは異種のものでも良い。ここで言う、「同種のシート」とは、シートの製造プロセス、シートの構成繊維の種類、構成繊維の繊維径や長さ、シートの厚みや坪量等がすべて同じであるシートどうしを意味する。これらのうちの少なくとも一つが異なる場合には、「異種のシート」である。
【００３０】
腹側外層シート３１Ａを構成する弾性部材４３（弾性フィラメント）は、例えば熱可塑性エラストマーやゴム等を原料とするものである。特に熱可塑性エラストマーを原料として用いると、通常の熱可塑性樹脂と同様に押出機を用いた溶融紡糸が可能であり、またそのようにして得られた弾性フィラメントは熱融着させやすいので、シート３１Ａに好適である。熱可塑性エラストマーとしては、例えば、ＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマー等が挙げられ、これらの１種を単独で又は２種以上を組み合わせて用いることができる。また、これらの樹脂からなる芯鞘型又はサイド・バイ・サイド型の複合繊維を用いることもできる。
【００３１】
このように、腹側外層シート３１Ａ及び背側外層シート３１Ｃは伸縮性を有しているのに対し、股下外層シート３１Ｂ及び内層シート３２は伸縮性を有しておらず非伸縮性である。非伸縮性のシート３１Ｂ，３２は、縦方向Ｘ又は横方向Ｙにおいて伸縮性を有しないことが好ましく、両方向Ｘ，Ｙの何れにも伸縮性を有しないことが好ましい。外装体３において、一部（腹側部１Ａ及び背側部１Ｃ）のみが伸縮性を有する外層シート３１と全体が非伸縮性の内層シート３２とは、外層シート３１の伸縮性を有する部分（腹側外層シート３１Ａ及び背側外層シート３１Ｃ）の伸長状態下に、相対向する面で接合されており、そのため、外装体３全体としては、腹側外層シート３１Ａ及び背側外層シート３１Ｃが配されている腹側部Ａ及び背側部Ｃ（胴回り部）は、少なくとも両シート３１Ａ，３１Ｃの伸長可能方向（横方向Ｙ）に伸縮性を有し、他の部分（股下部Ｂにおける腹側部１Ａ及び背側部１Ｃ寄り以外の部分。股下部１Ｂの縦方向Ｘの中央部。）は伸縮性を有してない。
【００３２】
シートが、ある方向に実質的に伸縮性を有しないとは、該シートに対して当該ある方向に引っ張る力を加えても、該シートが、殆ど伸びないことを意味する。例えば、長さ１５×幅５ｃｍのサンプルに対して、該サンプルをテンシロン等の材料引っ張り試験機で長手方向に引っ張って、該サンプルが破断するときの破断伸度が１０％以下である場合、そのサンプルは、長手方向に実質的に伸縮性を有しない。尚、破断伸度とは（破断時の該サンプル長さ−該サンプルの元の長さ）／（該サンプルの元の長さ）×１００で算出することができる。
【００３３】
非伸縮性の股下外層シート３１Ｂ及び内層シート３２としては、それぞれ、各種製法による不織布が好ましく用いられ、例えば、スパンボンド不織布、エアスルー不織布、ニードルパンチ不織布等である。非伸縮性のシート３１Ｂ，３２として用いる不織布の構成繊維としては、例えば、ポリエチレン（ＰＥ）、ポリプロピレン（ＰＰ）、ポリエチレンテレフタレート（ＰＥＴ）やポリブチレンテレフタレート（ＰＢＴ）等のポリエステル、ポリアミド等からなる繊維等が挙げられる。非伸縮性のシート３１Ｂ，３２として用いる不織布を構成する繊維は、短繊維でも長繊維でも良く、親水性でも撥水性でも良い。また、芯鞘型又はサイド・バイ・サイド型の複合繊維、分割繊維、異形断面繊維、捲縮繊維、熱収縮繊維等を用いることもできる。これらの繊維は、１種を単独で又は２種以上を組み合わせて用いることができる。
【００３４】
外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部には、１本又は複数本（本実施形態では複数本）のウエストギャザー形成用のウエスト弾性部材３３が横方向Ｙの全長に亘って伸長状態で配されており、これによってウエスト開口部ＷＨには、その全周に亘って実質的に連続した環状のウエストギャザーが形成されている。ウエスト弾性部材３３は、糸状又は帯状であり、外装体３を構成する外層シート３１と内層シート３２との間に接着剤により挟持固定されている。
【００３５】
また外装体３は、一対のレッグ開口部ＬＨ，ＬＨそれぞれの開口縁部にレッグギャザーを形成するレッグ弾性部材として、前身頃Ｆに伸長状態で配された１本又は複数本（本実施形態では複数本）の前側レッグ弾性部材３４と、後身頃Ｒに伸長状態で配された１本又は複数本（本実施形態では複数本）の後側レッグ弾性部材３５とを備えている。レッグ弾性部材３４，３５は、何れも糸状又は帯状であり、外装体３を構成する外層シート３１と内層シート３２との間に接着剤により挟持固定されている。
【００３６】
前側レッグ弾性部材３４は、図２及び図３に示すように、前身頃Ｆにおける腹側部１Ａ（胴回り部）を構成する外装体３の両側縁部ＦＳ，ＦＳ（サイドシール部Ｓ）それぞれからレッグ開口部ＬＨの開口縁部であるレッグ縁部ＬＳに沿って縦方向Ｘの内方且つ横方向Ｙの内方に延びて吸収性本体２の縦方向Ｘに沿う側縁２Ｓに達し、図２及び図３に示す如き平面視において吸収性コア２３（上層吸収性コア２３０及び下層吸収性コア２３１の両方）と重なっている。即ち、平面視して、前側レッグ弾性部材３４の側縁部ＦＳ側とは反対側の端部は、吸収体性コア２３と重なる位置に存在している。
【００３７】
また、図２及び図３に示すように、前身頃Ｆにおける外装体３の両側縁部ＦＳ，ＦＳのうちの一方を起点とする前側レッグ弾性部材３４と、他方を起点とする前側レッグ弾性部材３４とは繋がっておらず、これら一対の前側レッグ弾性部材３４，３４は、横方向Ｙにおいて互いに離間配置されて前側不連続部３４０を形成している。前側不連続部３４０は、外装体３（おむつ１）の横方向Ｙの中央部に位置している。前側不連続部３４０においては、弾性部材による弾性伸縮性は発現しない。一対の前側レッグ弾性部材３４，３４は、前側不連続部３４０を通って縦方向Ｘに延びる仮想直線（おむつ１を横方向Ｙに二分する横中心線）を基準として左右対称に配されている。
【００３８】
後側レッグ弾性部材３５は、図２及び図３に示すように、後身頃Ｒにおける背側部１Ｃ（胴回り部）を構成する外装体３の両側縁部ＲＳ，ＲＳ（サイドシール部Ｓ）それぞれからレッグ開口部ＬＨの開口縁部であるレッグ縁部ＬＳに沿って縦方向Ｘの内方且つ横方向Ｙの内方に延びて吸収性本体２の縦方向Ｘに沿う側縁２Ｓに達し、図２及び図３に示す如き平面視において吸収性コア２３（上層吸収性コア２３０及び下層吸収性コア２３１の両方）と重なっている。即ち、後側レッグ弾性部材３５の側縁部ＲＳ側とは反対側の端部は、吸収体性コア２３と重なる位置に存在している。
【００３９】
また、図２及び図３に示すように、後身頃Ｒにおける外装体３の両側縁部ＲＳ，ＲＳのうちの一方を起点とする後側レッグ弾性部材３５と、他方を起点とする後側レッグ弾性部材３５とは繋がっておらず、これら一対の後側レッグ弾性部材３５，３５は、横方向Ｙにおいて互いに離間配置されて後側不連続部３５０を形成している。後側不連続部３５０は、外装体３（おむつ１）の横方向Ｙの中央部に位置しており、前側不連続部３４０と横方向Ｙにおいて同位置にある。後側不連続部３５０においては、弾性部材による弾性伸縮性は発現しない。一対の後側レッグ弾性部材３５，３５は、後側不連続部３５０を通って縦方向Ｘに延びる仮想直線（おむつ１を横方向Ｙに二分する横中心線）を基準として左右対称に配されている。
【００４０】
前側レッグ弾性部材３４及び後側レッグ弾性部材３５は、それぞれ図２及び図３に示す如き平面視において、長さ方向の一端部が、腹側部１Ａ又は背側部１Ｃにて横方向Ｙに沿って配され、長さ方向の他端部が、股下部１Ｂにて該一端部とは反対側を向いて横方向Ｙに沿って配され、これら両端部に挟まれた中間部が、縦方向Ｘ及び横方向Ｙの両方向に交差する方向に配されており、該中間部に変曲点を有している。ここでいう「変曲点」は、曲率の異なる２種類の曲線の変わり目を意味し、この変わり目で引いた接線に対し、曲線の一方と他方とが異なる側にあるもののみならず、同じ側にあるものも含まれる。即ち、前側レッグ弾性部材３４における、腹側部１Ａ（胴回り部）を構成する外装体３の両側縁ＦＳ，ＦＳから吸収性本体２の縦方向Ｘに沿う側縁２Ｓに至るまでの部分の少なくとも一部（腹側部１Ａと股下部１Ｂとの境界又はその近傍に位置する部分）が、外装体３（股下部１Ｂ）の中心部に向かって斜めに延びており、また、背側レッグ弾性部材３５における、背側部１Ｃ（胴回り部）を構成する外装体３の両側縁ＲＳ，ＲＳから吸収性本体２の縦方向Ｘに沿う側縁２Ｓに至るまでの部分の少なくとも一部（背側部１Ｃと股下部１Ｂとの境界又はその近傍に位置する部分）が、外装体３（股下部１Ｂ）の中心部に向かって斜めに延びている。
【００４１】
また図２及び図３に示すように、前側レッグ弾性部材３４と後側レッグ弾性部材３５とは縦方向Ｘにおいて互いに離間配置されており、それによって離間領域１Ｄが形成されている。本実施形態のように、レッグ弾性部材３４，３５が複数本ある場合、それら複数本のうちで縦方向Ｘの最内方に位置するレッグ弾性部材３４，３５に挟まれた領域が離間領域１Ｄである。離間領域１Ｄは股下部１Ｂに位置し、前記排泄部対向部を有している。外装体３は、離間領域１Ｄに、該外装体３の他の部位よりも横方向Ｙの長さが短い（幅が狭い）最幅狭部を有している。
【００４２】
本実施形態のおむつ１の主たる特徴の１つとして、図２及び図３に示すように、吸収性コア２３における離間領域１Ｄに対応する部分（平面視において離間領域１Ｄと重なる部分）に、吸収性コア２３の肌対向面（表面シート２１との対向面）又は非肌対向面（裏面シート２２との対向面）の少なくとも一方に開口端部を有する開口部５が縦方向Ｘに連続的に延びるように形成されている点が挙げられる。本実施形態においては、吸収性コア２３に形成されている開口部５は１本のみであり、図２及び図３に示す如き平面視において矩形形状をなしている。開口部５の横方向Ｙの長さ（幅）は、開口部５の縦方向Ｘの全長に亘って一定である。縦方向Ｘからみて、開口部５の少なくとも一部は、前側レッグ弾性部材３４の前側不連続部３４０及び後側レッグ弾性部材３５の後側不連続部３５０と重なる位置にある。また、本実施形態において、開口部５の縦方向Ｘの長さは離間領域１Ｄのそれに比して短く、開口部５は前側不連続部３４０及び後側不連続部３５０には達していない。尤も、開口部５の縦方向Ｘの端部は、前側レッグ弾性部材３４の前側不連続部３４０及び後側レッグ弾性部材３５の後側不連続部３５０よりも縦方向Ｘの外方に延出しないことを条件に、前側不連続部３４０及び後側不連続部３５０に位置していても構わない。
【００４３】
離間領域１Ｄは一対の前側レッグ弾性部材３４，３４と一対の後側レッグ弾性部材３５，３５とに挟まれた領域であり、離間領域１Ｄの四隅はこれらのレッグ弾性部材３４，３５によって常時外方に向かって引っ張られた状態にあるところ、このような常時引張状態にある離間領域１Ｄにおける吸収性コア２３に、細幅の開口部５が形成されていることにより、おむつ１の着用中において開口部５の開口が維持されやすくなり、開口部５が着用者の足の開閉に追従する形で開閉可能になるため、おむつ１の着用者が足を閉じることによって開口部５が一旦は閉塞しても、再び開口し得る。即ち、おむつ１の着用中においては、着用者が足を開いている場合（吸収性コア２３に対して横方向Ｙの両外方から圧力がかかっていない場合）には、図７（ａ）の（Ｉ）に示すように、吸収性コア２３の開口部５は開口状態であり、この開口状態から着用者が足を閉じると、図７（ａ）の（ＩＩ）に示すように、吸収性コア２３に対して横方向Ｙの両外方から圧力ＰＦがかかるため、開口部５は閉塞状態あるいはこれに近い状態となるが、前述した本実施形態の特徴的な構成により、開口部５の閉塞状態は維持され難く、速やかに図７（ａ）の（Ｉ）に示す如き開口状態に戻る。つまり、おむつ１の着用中においては、開口部５の開口状態と閉塞状態とが繰り返されるが、開口部５は実質的には（長時間に亘っては）閉塞しない。従って、おむつ１においては、開口部５に期待される機能、例えば、１）吸収性コアの剛性を弱めて、着用者が閉脚時に感じる装着違和感を軽減する機能、及び２）尿等の排泄液を一時的に貯蔵し、おむつ縦方向の前後に排泄液を拡散させる機能が十分に発現し、それによって着用感及び吸収性能が大幅に向上する。
【００４４】
本実施形態においては図４に示すように、吸収性コア２３は、上層吸収性コア２３０と下層吸収性コア２３１とからなる二層構造を含んで構成されているところ、下層吸収性コア２３１は、該下層吸収性コア２３１を厚み方向に貫通する貫通口を有し、上層吸収性コア２３０は、該貫通口における該上層吸収性コア２３０側の開口端部の少なくとも一部を塞ぐように、下層吸収性コア２３１の肌対向面と接触しており、該貫通口とこれを閉塞する上層吸収性コア２３０とによって開口部５が形成されている。つまり、開口部５は、吸収性コア２３の一部を構成する下層吸収性コア２３１においては「貫通口」であるが、吸収性コア２３全体においては、吸収性コア２３の非肌対向面（裏面シート２２との対向面）のみに開口端部を有する「溝」（吸収性コア２３の厚み方向の肌対向面側が閉塞して底部を形成している開口部）ということができる。吸収性コア形成材料の存在しない空間部が形成されているのは下層吸収性コア２３１のみであり、上層吸収性コア２３０にはそのような空間部は形成されていない。本実施形態においては、上層吸収性コア２３０は、下層吸収性コア２３１の前記貫通口における該上層吸収性コア２３０側の開口端部の全部を塞いでいる。
【００４５】
吸収性コア２３の開口部５が図４に示すように構成されていることにより、開口部５における上層吸収性コア２３０側の開口端部の開口がより一層維持されやすくなるため、前述した開口部５による作用効果がより一層確実に奏されるようになる。即ち、おむつ１の着用者が足を閉じた場合には、吸収性コア２３は着用者の両大腿部によって横方向Ｙに圧縮され、その際の圧力によって下層吸収性コア２３１における開口部５を挟んで横方向Ｙの一側部と他側部とが、横方向Ｙの内方側に移動しようとするため、例えば、吸収性コアが単層構造からなり、開口部５がその単層構造の吸収性コアに穿設された貫通口からなる場合は、その下層吸収性コア２３１の移動によって、開口部５が完全に閉塞するおそれがある。しかし、本実施形態における開口部５は、図４に示すように、単層構造の吸収性コア（下層吸収性コア２３１）に穿設された貫通口における肌対向面側の開口端部を、該吸収性コアとは別体の吸収性コア（上層吸収性コア２３０）が該開口端部の周辺部と接触しつつ該開口端部を閉塞することによって形成されているため、下層吸収性コア２３１が押圧されることによって横方向Ｙに移動しようとしても、これと接触する上層吸収性コア２３０が、両者間の摩擦力の作用によって係止部材として機能し、下層吸収性コア２３１の横方向Ｙの移動を抑制し得る。従って、図７（ａ）に示すように、吸収性コア２３の開口部５が完全に開口している状態（おむつ１の着用者が足を開いている状態）において、おむつ１の着用者が足を閉じる等して、下層吸収性コア２３１に対してその横方向Ｙの両外方から圧力がかかった場合には、図７（ｂ）に示すように、少なくとも開口部５における下層吸収性コア２３１の肌対向面側の開口端部の開口は維持され得る。
【００４６】
このような、上層吸収性コア２３０による下層吸収性コア２３１の横方向Ｙへの移動制御機能をより確実に奏させるようにする観点から、上層吸収性コア２３０は下層吸収性コア２３１よりも坪量が大きいことが好ましい。両者の坪量の比（上層吸収性コア２３０の坪量／下層吸収性コア２３１の坪量）は、好ましくは１．０以上、さらに好ましくは１．１以上、そして、好ましくは３．０以下、さらに好ましくは２．９以下、より具体的には、好ましくは１．０以上３．０以下、さらに好ましくは１．１以上２．９以下である。
【００４７】
上層吸収性コア２３０の坪量は、好ましくは１００ｇ／ｃｍ２以上、さらに好ましくは  １５０ｇ／ｃｍ２以上、そして、好ましくは４００ｇ／ｃｍ２以下、さらに好ましくは３５０ｇ／ｃｍ２以下、より具体的には、好ましくは１００ｇ／ｃｍ２以上４００ｇ／ｃｍ２以下、さらに好ましくは１５０ｇ／ｃｍ２以上３５０ｇ／ｃｍ２以下である。
下層吸収性コア２３１の坪量は、好ましくは５０ｇ／ｃｍ２以上、さらに好ましくは８０ｇ／ｃｍ２以上、そして、好ましくは３００ｇ／ｃｍ２以下、さらに好ましくは２８０ｇ／ｃｍ２以下、より具体的には、好ましくは５０ｇ／ｃｍ２以上３００ｇ／ｃｍ２以下、さらに好ましくは８０ｇ／ｃｍ２以上２８０ｇ／ｃｍ２以下である。
【００４８】
また本実施形態においては、前述したように、外装体３における前身頃Ｆ及び後身頃Ｒそれぞれの胴回り部（腹側部１Ａ及び背側部１Ｃ）を含む領域は、横方向Ｙに伸縮性を有しているところ、図２及び図３に示す如き平面視において、その伸縮性領域、即ち、腹側外層シート３１Ａ又は背側外層シート３１Ｃを含む領域（腹側部１Ａ及び背側部１Ｃ、並びに股下部１Ｂにおける腹側部１Ａ及び背側部１Ｃ寄りの部分）と上層吸収性コア２３０とは重なっていない。このように、上層吸収性コア２３０が、外装体３における横方向Ｙに伸縮性を有する領域と重ならないことにより、吸収性コア２３の開口部５に外装体３の横方向Ｙの伸縮による余計な力が作用し難くなるため、着用者の足の開閉と開口部５の開閉との連動性がより一層向上し、前述した開口部５による作用効果がより一層確実に奏されるようになる。
【００４９】
また本実施形態においては、吸収性本体２は、内層シート３２（外装体３）における吸収性コア２３に対応する領域（平面視において吸収性コア２３と重なる領域）を少なくとも一部含む部分にて該内層シート３２と接合されている。より具体的には、吸収性本体２と内層シート３２とは、吸収性本体２の周縁又はその近傍（該周縁から５０ｍｍ以内）に対応する部位にて接着剤によって互いに接合されており、吸収性本体２と内層シート３２（外装体３）とは、該部位以外では互いに接合されていない。このように、吸収性本体２と内層シート３２（外装体３）とが吸収性コア２３に対応する領域を少なくとも一部含む部分にて互いに接合されていることにより、内層シート３２と外層シート３１との間に介在配置され内層シート３２と一体となっているレッグ弾性部材３４，３５による、離間領域１Ｄを引っ張る力が、より確実に吸収性コア２３の開口部５に作用するようになるため、おむつ１の着用中において開口部５の開口がより一層維持されやすくなり、前述した開口部５による作用効果がより一層確実に奏されるようになる。
【００５０】
また本実施形態においては、前述したように、前側レッグ弾性部材３４及び背側レッグ弾性部材３５それぞれにおける、胴回り部（腹側部１Ａ、背側部１Ｃ）と股下部１Ｂとの境界又はその近傍に位置する部分が外装体３（股下部１Ｂ）の中心部に向かって斜めに延びているため、両レッグ弾性部材３４，３５による離間領域１Ｄを引っ張る力が、より確実に吸収性コア２３の開口部５に作用しやすく、前述した開口部５による作用効果がより一層確実に奏され得る。
【００５１】
前述した開口部５による作用効果をより一層確実に奏させるようにする観点から、おむつ１の各部の寸法等は下記の範囲に設定することが好ましい。
開口部５の縦方向Ｘの長さ１Ｌと、前側不連続部３４０、離間領域１Ｄ及び後側不連続部３５０それぞれの縦方向Ｘの長さの合計値２Ｌとの比（１Ｌ／２Ｌ）は、好ましくは０．０５以上、さらに好ましくは０．１以上、そして、好ましくは１．０以下、さらに好ましくは０．９以下、より具体的には、好ましくは０．０５以上１．０以下、さらに好ましくは０．１以上０．９以下である。
離間領域１Ｄの縦方向Ｘの長さは、好ましくは１００ｍｍ以上、さらに好ましくは１２０ｍｍ以上、そして、好ましくは３００ｍｍ以下、さらに好ましくは２８０ｍｍ以下、より具体的には、好ましくは１００ｍｍ以上３００ｍｍ以下、さらに好ましくは１２０ｍｍ以上２８０ｍｍ以下である。
開口部５の縦方向Ｘの長さは、好ましくは１０ｍｍ以上、さらに好ましくは３０ｍｍ以上、そして、好ましくは３００ｍｍ以下、さらに好ましくは２８０ｍｍ以下、より具体的には、好ましくは１０ｍｍ以上３００ｍｍ以下、さらに好ましくは３０ｍｍ以上２８０ｍｍ以下である。
【００５２】
開口部５の横方向Ｙの長さ（幅）は、好ましくは５ｍｍ以上、さらに好ましくは７ｍｍ以上、そして、好ましくは２０ｍｍ以下、さらに好ましくは１８ｍｍ以下、より具体的には、好ましくは５ｍｍ以上２０ｍｍ以下、さらに好ましくは７ｍｍ以上１８ｍｍ以下である。開口部５の横方向Ｙの長さが短すぎると、開口部５を形成する意義に乏しく、また開口部５の横方向Ｙの長さが長すぎると、吸収性コア２３の剛性低下による着用感の向上は期待できるものの、吸収性コア２３の吸収容量の低下、吸収性コア２３の制御できない変形等の不都合を招くおそれがある。
【００５３】
以上、本発明をその好ましい実施形態に基づき説明したが、本発明は前記実施形態に制限されない。本発明において、吸収性コアにおける前記離間領域に対応する部分の横方向中央部に形成される「開口部」は、該吸収性コアの肌対向面又は非肌対向面の少なくとも一方に開口端部を有し且つ縦方向に連続的に延びるように形成されていれば良く、前記実施形態における開口部５のような、吸収性コア２３の肌対向面及び非肌対向面のうちの一方のみに開口端部を有する「溝」（吸収性コア２３の厚み方向の一端側が閉塞して底部を形成している開口部）に限定されず、吸収性コア２３の肌対向面及び非肌対向面それぞれに開口端部を有する「貫通口」であっても良い。
【００５４】
また前記実施形態においては、吸収性コア２３が二層構造であったが、本発明に係る吸収性コアは単層構造でも良く、三層以上の多層構造でも良い。単層構造の吸収性コアにおける前記離間領域に対応する部分の横方向中央部に形成される「開口部」は、前述したように、該単層構造の吸収性コアの肌対向面及び非肌対向面のうちの一方のみに開口端部を有する「溝」でも良く、該単層構造の吸収性コアを厚み方向に貫通する「貫通口」でも良い。
【００５５】
また前記実施形態においては、吸収性コア２３に形成された開口部５は１本のみであったが、吸収性コア２３における離間領域１Ｄに対応する部分の横方向Ｙの中央部には、複数本の開口部５が横方向Ｙに多列に形成されていても良い。その場合、その複数本の開口部５の全てが、前側レッグ弾性部材３４の前側不連続部３４０及び後側レッグ弾性部材３５の後側不連続部３５０と横方向Ｙにおいて少なくとも一部が重なる位置にあることが好ましい。
また前記実施形態においては、外層シート３１は複数枚のシートが組み合わされて構成されていたが、内層シート３２と同様に１枚の連続したシートから構成されていても良い。
また、外装体３は、腹側部に位置する外装体腹側領域及び背側部に位置する外装体背側領域とに分割されており、吸収性本体２は、前記外装体腹側領域及び前記外装体背側領域に架け渡して固定されていても良い。
前述した本発明の実施形態に関し、更に以下の付記を開示する。
【００５６】
＜１＞
着用者の前後方向に相当する縦方向とこれに直交する横方向とを有し、液保持性の吸収性コアを具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における胴回り部を構成する前記外装体の両側縁部それぞれから前記レッグ開口部の開口縁部に沿って縦方向内方且つ横方向内方に延びて前記吸収性本体の縦方向に沿う側縁に達し、平面視において前記吸収性コアと重なっており、
前身頃における胴回り部を構成する前記外装体の両側縁部のうちの一方を起点とする前記前側レッグ弾性部材と、他方を起点とする前記前側レッグ弾性部材とは、横方向において互いに離間配置されて前側不連続部を形成しており、該前側不連続部は前記外装体の横方向中央部に位置しており、
前記後側レッグ弾性部材は、後身頃における胴回り部を構成する前記外装体の両側縁部それぞれから前記レッグ開口部の開口縁部に沿って縦方向内方且つ横方向内方に延びて前記吸収性本体の縦方向に沿う側縁に達し、平面視において前記吸収性コアと重なっており、
後身頃における胴回り部を構成する前記外装体の両側縁部のうちの一方を起点とする前記後側レッグ弾性部材と、他方を起点とする後記前側レッグ弾性部材とは、横方向において互いに離間配置されて後側不連続部を形成しており、該後側不連続部は前記外装体の横方向中央部に位置しており、
前記前側レッグ弾性部材と前記後側レッグ弾性部材とが縦方向において互いに離間配置されて、離間領域が形成されており、
前記吸収性コアにおける前記離間領域に対応する部分に、該吸収性コアの肌対向面又は非肌対向面の少なくとも一方に開口端部を有する開口部が縦方向に連続的に延びるように形成されおり、前記縦方向からみて、前記開口部の少なくとも一部が、前記前側不連続部及び前記後側不連続部と重なっているパンツ型吸収性物品。
【００５７】
＜２＞
前記開口部の前記縦方向の端部は、前記前側不連続部及び前記後側不連続部よりも縦方向外方に延出しない前記＜１＞に記載のパンツ型吸収性物品。
【００５８】
＜３＞
前記外装体は、着用者の身体から相対的に遠い側に位置する外層シートと、着用者の身体に相対的に近い側に位置する内層シートとを含んで構成され、両シート間に前記前側レッグ弾性部材及び前記後側レッグ弾性部材が介在されており、
前記吸収性本体は、前記内層シートにおける前記吸収性コアに対応する領域を少なくとも一部含む部分にて該内層シートと接合されている前記＜１＞又は＜２＞に記載のパンツ型吸収性物品。
【００５９】
＜４＞
前記外層シートは、着用状態において着用者の腹側に配される腹側部を構成する腹側外層シートと、背側に配される背側部を構成する背側外層シートと、これら両シート間に位置して着用者股間部に配される股下部を構成する股下外層シートとを含んで構成されている前記＜３＞に記載のパンツ型吸収性物品。
＜５＞
前記腹側外層シート及び前記背側外層シートは横方向に伸縮性を有している前記＜４＞に記載のパンツ型吸収性物品。
＜６＞
前記股下外層シート及び前記内層シートは、伸縮性を有しておらず非伸縮性である前記＜４＞又は＜５＞に記載のパンツ型吸収性物品。
＜７＞
前記腹側外層シート及び前記背側外層シートは、非弾性繊維を主体とする伸長可能な繊維層の一面に糸状の弾性フィラメントが接合した構成を有する前記＜４＞〜＜６＞の何れか一項に記載のパンツ型吸収性物品。
【００６０】
＜８＞
前記吸収性本体は、前記内層シート（前記外装体）における前記吸収性コアに対応する領域（平面視において前記吸収性コアと重なる領域）を少なくとも一部含む部分にて、該内層シートと接合されている前記＜３＞〜＜７＞の何れか一項に記載のパンツ型吸収性物品。
＜９＞
前記吸収性本体と前記内層シートとは、前記吸収性本体の周縁又はその近傍（該周縁から５０ｍｍ以内）に対応する部位にて接着剤によって互いに接合されている前記＜３＞〜＜８＞の何れか一項に記載のパンツ型吸収性物品。
【００６１】
＜１０＞
前記吸収性コアは、上層吸収性コアと該上層吸収性コアの非肌対向面側に配される下層吸収性コアとからなる二層構造を含んで構成され、
前記下層吸収性コアは、該下層吸収性コアを厚み方向に貫通する貫通口を有し、前記上層吸収性コアは、該貫通口における該上層吸収性コア側の開口端部の少なくとも一部を塞ぐように、該下層吸収性コアの肌対向面と接触しており、該貫通口とその開口端部を閉塞する該上層吸収性コアとによって前記開口部が形成されている前記＜１＞〜＜９＞の何れか一項に記載のパンツ型吸収性物品。
＜１１＞
前記上層吸収性コアは前記下層吸収性コアよりも坪量が大きい前記＜１０＞に記載のパンツ型吸収性物品。
＜１２＞
前記外装体における前身頃及び後身頃それぞれの前記胴回り部を含む領域は、横方向に伸縮性を有しており、平面視においてその伸縮性領域と前記上層吸収体とは重なっていない前記＜１０＞又は＜１１＞に記載のパンツ型吸収性物品。
【００６２】
＜１３＞
前記上層吸収性コアは、平面視において、縦方向の前側（腹側部寄りの部分）が他の部分よりも幅広の縦長形状をなしている前記＜１０＞〜＜１２＞の何れか一項に記載のパンツ型吸収性物品。
＜１４＞
前記上層吸収性コアは、平面視において、前記下層吸収性コアよりも縦方向の長さが短く、且つ該下層吸収性コアにおいて横方向の長さが最も短い最幅狭部の該長さよりも横方向の長さが短い前記＜１０＞〜＜１３＞の何れか一項に記載のパンツ型吸収性物品。
＜１５＞
前記平面視において前記上層吸収性コアの全体が前記下層吸収性コアと重なっている前記＜１０＞〜＜１４＞の何れか一項に記載のパンツ型吸収性物品。
＜１６＞
前記上層吸収性コアと前記下層吸収性コアとは、接着剤によって互いに接合されていない前記＜１０＞〜＜１５＞の何れか一項に記載のパンツ型吸収性物品。
＜１７＞
前記上層吸収性コア及び前記下層吸収性コアの表面は、コアラップシートによって一体的に被覆されている前記＜１０＞〜＜１６＞の何れか一項に記載のパンツ型吸収性物品。
＜１８＞
前記上層吸収性コアと前記下層吸収性コアとの坪量の比（上層吸収性コアの坪量／下層吸収性コアの坪量）は、好ましくは１．０以上、さらに好ましくは１．１以上、そして、好ましくは３．０以下、さらに好ましくは２．９以下、より具体的には、好ましくは１．０以上３．０以下、さらに好ましくは１．１以上２．９以下である前記＜１０＞〜＜１７＞の何れか一項に記載のパンツ型吸収性物品。
＜１９＞
前記上層吸収性コアの坪量は、好ましくは１００ｇ／ｃｍ２以上、さらに好ましくは  １５０ｇ／ｃｍ２以上、そして、好ましくは４００ｇ／ｃｍ２以下、さらに好ましくは３５０ｇ／ｃｍ２以下、より具体的には、好ましくは１００／ｃｍ２以上４００ｇ／ｃｍ２以下、さらに好ましくは１５０ｇ／ｃｍ２以上３５０ｇ／ｃｍ２以下である前記＜１０＞〜＜１８＞の何れか一項に記載のパンツ型吸収性物品。
＜２０＞
前記下層吸収性コアの坪量は、好ましくは５０ｇ／ｃｍ２以上、さらに好ましくは８０ｇ／ｃｍ２以上、そして、好ましくは３００ｇ／ｃｍ２以下、さらに好ましくは２８０ｇ／ｃｍ２以下、より具体的には、好ましくは５０ｇ／ｃｍ２以上３００ｇ／ｃｍ２以下、さらに好ましくは８０ｇ／ｃｍ２以上２８０ｇ／ｃｍ２以下である前記＜１０＞〜＜１９＞の何れか一項に記載のパンツ型吸収性物品。
【００６３】
＜２１＞
前記前側レッグ弾性部材及び前記後側レッグ弾性部材それぞれにおける、前記胴回り部を構成する前記外装体の両側縁部から前記吸収性本体の縦方向に沿う側縁に至るまでの部分の少なくとも一部が、前記外装体の中心部に向かって斜めに延びている前記＜１＞〜＜２０＞の何れか一項に記載のパンツ型吸収性物品。
＜２２＞
前記開口部は前記吸収性コアに１本のみ形成されている前記＜１＞〜＜２１＞の何れか一項に記載のパンツ型吸収性物品。
＜２３＞
前記前側レッグ弾性部材及び前記後側レッグ弾性部材それぞれにおける、前記胴回り部を構成する前記外装体の両側縁部側とは反対側の端部は、平面視して、前記吸収性コアと重なる位置に存在する前記＜１＞〜＜２２＞の何れか一項に記載のパンツ型吸収性物品。
＜２４＞
前記開口部の縦方向長さは前記離間領域のそれに比して短く、該開口部は前記前側不連続部及び前記後側不連続部には達していない前記＜１＞〜＜２３＞の何れか一項に記載のパンツ型吸収性物品。
【００６４】
＜２５＞
前記開口部の縦方向の長さ１Ｌと、前記前側不連続部、前記離間領域及び前記後側不連続部３５０それぞれの縦方向の長さの合計値２Ｌとの比である１Ｌ／２Ｌは、好ましくは０．０５以上、さらに好ましくは０．１以上、そして、好ましくは１．０以下、さらに好ましくは０．９以下、より具体的には、好ましくは０．０５以上１．０以下、さらに好ましくは０．１以上０．９以下である前記＜１＞〜＜２４＞の何れか一項に記載のパンツ型吸収性物品。
＜２６＞
前記離間領域の縦方向長さは、好ましくは１００ｍｍ以上、さらに好ましくは１２０ｍｍ以上、そして、好ましくは３００ｍｍ以下、さらに好ましくは２８０ｍｍ以下、より具体的には、好ましくは１００ｍｍ以上３００ｍｍ以下、さらに好ましくは１２０ｍｍ以上２８０ｍｍ以下である前記＜１＞〜＜２５＞の何れか一項に記載のパンツ型吸収性物品。
＜２７＞
前記開口部の縦方向長さは、好ましくは１０ｍｍ以上、さらに好ましくは３０ｍｍ以上、そして、好ましくは３００ｍｍ以下、さらに好ましくは２８０ｍｍ以下、より具体的には、好ましくは１０ｍｍ以上３００ｍｍ以下、さらに好ましくは３０ｍｍ以上２８０ｍｍ以下である前記＜１＞〜＜２６＞の何れか一項に記載のパンツ型吸収性物品。
＜２８＞
前記開口部の横方向長さは、好ましくは５ｍｍ以上、さらに好ましくは７ｍｍ以上、そして、好ましくは２０ｍｍ以下、さらに好ましくは１８ｍｍ以下、より具体的には、好ましくは５ｍｍ以上２０ｍｍ以下、さらに好ましくは７ｍｍ以上１８ｍｍ以下である前記＜１＞〜＜２７＞の何れか一項に記載のパンツ型吸収性物品。
＜２９＞
前記吸収性本体は、肌対向面を形成する表面シート、非肌対向面を形成する裏面シート、及び両シート間に介在配置された液保持性の吸収性コアを有する前記＜１＞〜＜２８＞の何れか一項に記載のパンツ型吸収性物品。
【符号の説明】
【００６５】
１，９０  パンツ型使い捨ておむつ（パンツ型吸収性物品）
２，９２  吸収性本体
２Ｓ  吸収性本体の縦方向に沿う側縁
２１  表面シート
２２  裏面シート
２３，９１  吸収性コア
２３０  上層吸収性コア
２３１  下層吸収性コア
２４  側方カフス（立体ギャザー）
３，９３  外装体
３１  外層シート
３１Ａ  腹側外層シート（伸縮性シート）
３１Ｂ  股下外層シート（非伸縮性シート）
３１Ｃ  背側外層シート（伸縮性シート）
３２  内層シート（非伸縮性シート）
３３  ウエスト弾性部材
３４  前側レッグ弾性部材
３４０  前側不連続部
３５  後側レッグ弾性部材
３５０  後側不連続部
５  開口部
Ｆ  前身頃
Ｒ  後身頃
１Ａ  腹側部（前身頃の胴回り部）
１Ｂ  股下部
１Ｃ  背側部（後身頃の胴回り部）
１Ｄ  離間領域
Ｘ  縦方向
Ｙ  横方向
【図１】
0006559940.tif 000002
【図２】
0006559940.tif 000003
【図３】
0006559940.tif 000004
【図４】
0006559940.tif 000005
【図５】
0006559940.tif 000006
【図６】
0006559940.tif 000007
【図７】
0006559940.tif 000008
【図８】
0006559940.tif 000009